(57)【特許請求の範囲】
【請求項１】
被検体内に透入する情報キャリアを発生する情報キャリア発生部と、この情報キャリア発生部から放射され被検体内を透過して変化を受けた情報キャリアを検出する情報キャリア検出部と、該検出された検出信号を処理して画像再構成をする画像処理部と、該再構成された画像信号を画像として表示する画像表示部と、この画像表示部に表示される標示線を画面上で移動し設定する２次元位置設定手段を有する操作制御部とを備え、上記２次元位置設定手段が複数の使用機能に共通に使用される医用画像診断装置において、
上記２次元位置設定手段に与えられた複数の使用機能に対して予め基礎優先順位を設定しておくと共に、各種計測モードが選択されたときのそのモードにおける最優先順位の使用機能を設定しておき、任意に各種計測モードを選択した際に最後に選択された計測モードにおける最優先順位の使用機能を強制的に順位１番とし、その他の計測モードについては上記の基礎優先順位に従って順次繰り下げて使用機能の優先順位を指定する優先順位設定手段と、
この優先順位設定手段に接続され上記２次元位置設定手段に与えられた複数の使用機能を切り換えるための使用機能切換手段と、
上記優先順位設定手段で指定された優先順位で使用機能を画像表示部に表示するための使用機能表示手段と、
を設けたことを特徴とする医用画像診断装置。
【請求項２】
上記使用機能表示手段は、優先順位１番の使用機能のマークの両隣りに順次後順位の使用機能のマークを交互に配置して表示するものであることを特徴とする請求項１記載の医用画像診断装置。
【請求項３】
上記使用機能表示手段は、画像表示部の画面に表示する最優先権が与えられた使用機能の表示マークとその機能に対応する標示線とを特定の同一色彩を付して表示すると共に、最優先権が与えられていない使用機能とは別の色彩で表示するものであることを特徴とする請求項１記載の医用画像診断装置。
【発明の詳細な説明】
【０００１】
【発明の属する技術分野】
本発明は、Ｘ線又は超音波或いは電磁波などの情報キャリアを被検体内に透入し、この情報キャリアの変化を計測して診断部位の医用画像を得る例えばＸ線撮影装置又はＸ線ＣＴ装置或いは超音波診断装置、核医学イメージング装置、磁気共鳴イメージング装置などの医用画像診断装置に関し、特に操作制御部に備えられたトラックボールやジョイスティックなどの２次元位置設定手段の使用機能を一つの切換手段で容易に選択するようにし、該２次元位置設定手段の操作性を向上することができる医用画像診断装置に関する。
【０００２】
【従来の技術】
従来の医用画像診断装置、例えば超音波診断装置は、図６に示すように、探触子１と、超音波送受信回路２と、信号処理回路３と、Ａ／Ｄ変換器４と、スキャンコンバータ５と、文字情報表示手段６と、画像・文字情報重畳手段７と、メインコントローラ８と、Ｄ／Ａ変換器９と、表示器１０と、操作制御部１１とを有し、さらに複数個の操作キー１２ａ，１２ｂ，…，１２ｎを備えて成っていた。上記において、探触子１は、被検体１７内に透入する情報キャリアとしての超音波を発生する情報キャリア発生部及びこの情報キャリア発生部から放射され被検体１７内を透過して変化を受けた情報キャリアを検出する情報キャリア検出部となるものである。また、上記超音波送受信回路２と信号処理回路３とＡ／Ｄ変換器４とスキャンコンバータ５と文字情報表示手段６と画像・文字情報重畳手段７とメインコントローラ８とで、上記探触子１で検出した検出信号を処理して画像再構成をする画像処理部となるものである。さらに、Ｄ／Ａ変換器９と表示器１０とで、上記画像処理部で生成された画像信号を画像として表示する画像表示部となるものである。なお、操作制御部１１は、各種の操作指令を入力する操作パネル１３と、上記画像表示部の表示器１０に表示される標示線を画面上で移動し設定する２次元位置設定手段１４と、パネルインタフェース回路１５と、パネルコントローラ１６とから成る。
【０００３】
そして、上記操作制御部１１の２次元位置設定手段１４は、例えばトラックボールやジョイスティックなどから成り、複数の使用機能に共通に使用されるようになっており、その複数の使用機能を複数個の操作キー１２ａ〜１２ｎをそれぞれ操作して切り換えるようになっていた。
【０００４】
【発明が解決しようとする課題】
しかし、このような従来の医用画像診断装置においては、２次元位置設定手段１４の使用機能を切り換えるのに、それぞれの使用機能に対応した操作キー１２ａ〜１２ｎを操作して切り換えるようになっていたので、上記使用機能の数の分だけの操作キー１２ａ〜１２ｎが必要となるものであった。ところが、近年、上記２次元位置設定手段１４の使用機能の数が増大しており、それに応じて操作キー１２ａ〜１２ｎの個数が増えてきている。そして、上記操作キー１２ａ〜１２ｎは、操作パネル１３の盤面に設けることが多いが、このために操作パネル１３が大形化するものであった。また、操作パネル１３上に配列された多数の操作キー１２ａ〜１２ｎの中から、所望の使用機能に割り当てられた操作キーを探してそのキーを操作するのは煩雑であった。さらに、上記２次元位置設定手段１４の使用機能の表示器１０への表示は、現在選択されている使用機能だけを表示するのがほとんどであり、現在の計測モードにおいて選択しうる他の使用機能を例えば優先順位を付けて表示することはできなかった。従って、２次元位置設定手段１４の操作性が良いとは言えなかった。
【０００５】
そこで、本発明は、このような問題点に対処し、操作制御部に備えられたトラックボールやジョイスティックなどの２次元位置設定手段の使用機能を一つの切換手段で容易に選択するようにし、該２次元位置設定手段の操作性を向上することができる医用画像診断装置を提供することを目的とする。
【０００６】
【課題を解決するための手段】
上記目的を達成するために、本発明による医用画像診断装置は、被検体内に透入する情報キャリアを発生する情報キャリア発生部と、この情報キャリア発生部から放射され被検体内を透過して変化を受けた情報キャリアを検出する情報キャリア検出部と、該検出された検出信号を処理して画像再構成をする画像処理部と、該再構成された画像信号を画像として表示する画像表示部と、この画像表示部に表示される標示線を画面上で移動し設定する２次元位置設定手段を有する操作制御部とを備え、上記２次元位置設定手段が複数の使用機能に共通に使用される医用画像診断装置において、上記２次元位置設定手段に与えられた複数の使用機能に対して予め基礎優先順位を設定しておくと共に、各種計測モードが選択されたときのそのモードにおける最優先順位の使用機能を設定しておき、任意に各種計測モードを選択した際に最後に選択された計測モードにおける最優先順位の使用機能を強制的に順位１番とし、その他の計測モードについては上記の基礎優先順位に従って順次繰り下げて使用機能の優先順位を指定する優先順位設定手段と、この優先順位設定手段に接続され上記２次元位置設定手段に与えられた複数の使用機能を切り換えるための使用機能切換手段と、上記優先順位設定手段で指定された優先順位で使用機能を画像表示部に表示するための使用機能表示手段と、を設けたものである。
【０００７】
また、上記使用機能表示手段は、優先順位１番の使用機能のマークの両隣りに順次後順位の使用機能のマークを交互に配置して表示するものである。
【０００８】
さらに、上記使用機能表示手段は、画像表示部の画面に表示する最優先権が与えられた使用機能の表示マークとその機能に対応する標示線とを特定の同一色彩を付して表示すると共に、最優先権が与えられていない使用機能とは別の色彩で表示するものとしてもよい。
【０００９】
【発明の実施の形態】
以下、本発明の実施の形態を添付図面に基づいて詳細に説明する。
図１は本発明による医用画像診断装置の実施の形態を示すブロック図である。この医用画像診断装置は、Ｘ線又は超音波或いは電磁波などの情報キャリアを被検体内に透入しその内部の組織の状態による上記情報キャリアの空間的あるいは時間的変化をとらえてこれを映像化し診断に供するもので、例えばＸ線撮影装置又はＸ線ＣＴ装置或いは超音波診断装置、核医学イメージング装置、磁気共鳴イメージング装置などである。図１は例として超音波診断装置を示しており、探触子１と、超音波送受信回路２と、信号処理回路３と、Ａ／Ｄ変換器４と、スキャンコンバータ５と、文字情報表示手段６と、画像・文字情報重畳手段７と、メインコントローラ８と、Ｄ／Ａ変換器９と、表示器１０と、操作制御部１１とを備えて成る。
【００１０】
上記探触子１は、被検体１７内に超音波を送信すると共に、該被検体１７内の音響インピーダンスの異なる境界にて反射されるエコーを受信するものである。そして、この探触子１は、被検体１７内に透入する情報キャリアとしての超音波を発生する情報キャリア発生部及びこの情報キャリア発生部から放射され被検体１７内を透過して変化を受けた情報キャリアを検出する情報キャリア検出部となるものである。
【００１１】
超音波送受信回路２は、上記探触子１を駆動して超音波を送受信させるもので、図示省略したがその内部には、公知の送波パルサと、送信遅延回路と、受信増幅器などを有している。信号処理回路３は、上記超音波送受信回路２からの受信信号を入力して所要の処理を行うもので、その内部には、受信した反射エコー信号の位相を揃えて加算し受信超音波ビームを形成する受信遅延回路及び加算器と、位相合成された反射エコー信号を検波するための公知のゲインコントロール回路と、ログアンプ回路と、ダイナミックレンジ設定回路と、全波整流回路と、エンベロープ回路などを有している。Ａ／Ｄ変換器４は、上記信号処理回路３からの反射エコー信号をディジタル信号に変換するものである。スキャンコンバータ５は、上記Ａ／Ｄ変換器４からの出力信号を入力して超音波ビームの１走査線又は複数の走査線ずつその内部の画像メモリへ書き込み、後述の表示器１０の走査線方向に従って読み出しを行うものである。
【００１２】
また、文字情報表示手段６は、表示器１０に表示される超音波画像の周囲に必要な文字情報やマーク等を表示させるため、それらの表示データを記録しておくと共に出力するものである。画像・文字情報重畳手段７は、上記スキャンコンバータ５からの画像情報と文字情報表示手段６からの文字情報やマーク等を重ね合わせるものである。そして、メインコントローラ８は、上記各構成要素の動作を制御するもので、ＣＰＵ（中央処理装置）から成る。そして、上記超音波送受信回路２と信号処理回路３とＡ／Ｄ変換器４とスキャンコンバータ５と文字情報表示手段６と画像・文字情報重畳手段７とメインコントローラ８とで、上記探触子１で検出した検出信号を処理して画像再構成をする画像処理部となる。
【００１３】
Ｄ／Ａ変換器９は、上記画像・文字情報重畳手段７から出力された画像及び文字データをアナログ信号に変換してビデオ信号とするものである。また、表示器１０は、上記Ｄ／Ａ変換器９から出力されたビデオ信号を入力してテレビ表示方式により表示するもので、例えばテレビモニタから成る。そして、上記Ｄ／Ａ変換器９と表示器１０とで、上記画像処理部で生成された画像信号を画像として表示する画像表示部となる。
【００１４】
操作制御部１１は、各種の操作指令を入力したり計測条件等を入力したりするもので、操作パネル１３と、２次元位置設定手段１４と、パネルインタフェース回路１５と、パネルコントローラ１６とを有して成る。上記操作パネル１３は、ＢモードまたはＭモード、カラードプラモードなどの各種検査モードや、表示深度またはフォーカス設定などの検査条件や、ダイナミックレンジまたはエンハンス、フレーム相関などの画像処理条件を設定するもので、各種操作キーがマトリクス状に配置されている。２次元位置設定手段１４は、上記表示器１０の画面上に表示されるビームラインや、カーソルなどの標示線をその画面上で上下、左右に移動したり設定するもので、例えばトラックボールやジョイスティックなどから成る。また、パネルインタフェース回路１５は、上記操作パネル１３のマトリクス状に配置された各種操作キーのどの機能が選択されたかを認識してその後段のパネルコントローラ１６へ転送するものである。さらに、パネルコントローラ１６は、上記パネルインタフェース回路１５を介して操作パネル１３から入力された操作指令等を前記メインコントローラ８へ転送するものである。そして、上記２次元位置設定手段１４は、複数の使用機能に共通に使用されるようになっている。
【００１５】
ここで、本発明においては、上記操作制御部１１のパネルインタフェース回路１５に対し優先順位設定手段１８が接続され、この優先順位設定手段１８に対して使用機能切換手段１９が設けられ、且つ上記優先順位設定手段１８には使用機能表示手段２０が接続されている。上記優先順位設定手段１８は、前記２次元位置設定手段１４に与えられた複数の使用機能に対して予め基礎優先順位を設定しておくと共に、各種計測モードが選択されたときのそのモードにおける最優先順位の使用機能を設定しておき、任意に各種計測モードを選択した際に最後に選択された計測モードにおける最優先順位の使用機能を強制的に順位１番とし、その他の計測モードについては上記の基礎優先順位に従って順次繰り下げて使用機能の優先順位を指定するものである。
【００１６】
例えば、図２に示すように、２次元位置設定手段１４に与えられた複数の使用機能が図２に示す表の縦の欄に記載した８種類あるとし、これに対して上から順番に１，２，３，…，８の基礎優先順位を予め設定しておく。すなわち、基礎優先順位１位が「プローブマーク位置の設定」であり、２位が「上下移動量の設定」であり、…、８位が「計測用カーソルの設定」である。また、超音波診断装置の各種計測モードとして、図２に示す表の横の欄に記載した８種類のモードがあるとし、これらの各種計測モードが選択されたときのそのモードにおける最優先順位の使用機能を図中で〇印を付して示すように設定しておく。すなわち、「ボディマーク」のモードを選択したときはそのモードにおける最優先順位の２次元位置設定手段の使用機能は「プローブマーク位置の設定」であり、「Ｂモード」を選択したときはそのモードにおける最優先順位の使用機能は「上下移動量の設定」であり、…、「計測機能」のモードを選択したときはそのモードにおける最優先順位の使用機能は「計測用カーソルの設定」である。このように、各種計測モードにおける最優先順位の使用機能を設定しておくことにより、任意に各種計測モードを選択した際に最後に選択された計測モードにおける最優先順位の使用機能を強制的に順位１番とし、その他の計測モードについては上記の基礎優先順位に従って順次繰り下げて使用機能の順位を指定することができる。なお、上記優先順位設定手段１８は、操作制御部１１のパネルコントローラ１６にも接続されている。
【００１７】
また、使用機能切換手段１９は、上記優先順位設定手段１８に接続され、前記２次元位置設定手段１４に与えられた複数の使用機能を切り換えるもので、例えば１個のパドルスイッチから成り、レバーを左または右方向に倒す度に順次優先順位に従って使用機能を切り換えるようになっている。
【００１８】
さらに、使用機能表示手段２０は、上記優先順位設定手段１８で指定された優先順位で前記２次元位置設定手段１４の使用機能を画像表示部の表示器１０に文字やマークで表示するもので、優先順位１番の使用機能のマークの両隣りに順次後順位の使用機能のマークを交互に配置して表示するように動作し、その出力信号は前記文字情報表示手段６へ送出されるようになっている。上記の使用機能を表示する文字やマークとしては、例えば図３に示すように、「プローブマーク位置の設定」という使用機能については、文字として「ＰＢ ＭＡＲＫ」を表示し 、マークとしてはその下に記載された図形を表示する。また、「ビームラインの設定」という使用機能については、文字として「Ｍ−ＢＥＡＭ」を表示し、マークとしてはその下に記載された図形を表示する。…さらに、「計測用カーソルの設定」という使用機能については、文字として「ＭＥＡＳＵＲＥ」を表示し、マークとしてはその下に記載された図形を表示する。そして、これら例えば８種類の使用機能を表示するための文字及びマークのデータは、上記使用機能表示手段２０内に記録されており、当該使用機能が選択されることにより読み出して出力されるようになっている。
【００１９】
次に、このように構成された超音波診断装置の動作について説明する。まず、探触子１で被検体１７内へ超音波を送受信し、これにより得られた反射エコー信号を超音波送受信回路２で増幅し、その後信号処理回路３、Ａ／Ｄ変換器４、スキャンコンバータ５、画像・文字情報重畳手段７、Ｄ／Ａ変換器９を介して表示器１０に超音波画像を表示するのは、通常の超音波診断装置と全く同様に行われる。従って、ここでは、主として操作制御部１１と、優先順位設定手段１８と、使用機能切換手段１９と、使用機能表示手段２０の動作について説明する。
【００２０】
まず、操作制御部１１の操作パネル１３により、ＢモードまたはＭモード、カラードプラモードなどの各種検査モードを設定したり、表示深度またはフォーカス設定などの検査条件をセットしたり、ダイナミックレンジまたはエンハンス、フレーム相関などの画像処理条件を設定する。このとき、上記操作パネル１３上の操作キーやスイッチ等はマトリクス的に配置されているので、操作信号が入力したパネルインタフェース回路１５によりどの操作キー等が選択されたかを認識し、その認識した操作キーの信号を後段のパネルコントローラ１６へ転送する。パネルコントローラ１６では、上記操作パネル１３から入力された操作信号をメインコントローラ８へ転送したり、逆に上記メインコントローラ８からの情報を入力して操作パネル１３の或る操作キーが押されたときにその機能を実行するか否かの受付処理を行ったり、当該操作キーを点灯させたりする。
【００２１】
一方、上記操作パネル１３で設定した各種計測モードに対応して２次元位置設定手段１４の使用機能は、優先順位設定手段１８によって予め設定された基礎優先順位及び各種計測モードにおける最優先順位に従って次のように設定される。すなわち、図２の表に示された〇印に従って、「ボディマーク」のモードの場合は「プローブマーク位置の設定」にセットされ、「Ｂモード」の場合は「上下移動量の設定」にセットされ、「Ｍモード」の場合は「ビームラインの設定」にセットされ、「ドプラモード」の場合は「サンプル点の設定」にセットされ、「カラードプラ（ＣＦＭ）モード」の場合は「カラー表示範囲の設定」にセットされ、「パンズーム」の場合には「関心領域の設定」にセットされ、「コメント入力」の場合は「コメント用カーソルの設定」にセットされ、「計測機能」の場合は「計測用カーソルの設定」にセットされる。
【００２２】
上記のように設定される２次元位置設定手段１４の使用機能は、使用機能表示手段２０を介して表示器１０の画面隅部に表示される。その表示の態様は、前述のように図３に示すような文字やマークで表示される。そして、上記２次元位置設定手段１４の使用機能は通常は一つではなく、例えば「ドプラモード」と「カラードプラモード」とを選択した場合は、「サンプル点の設定」と「カラー表示範囲の設定」との二つの使用機能に利用できることとなる。このようなときは、優先順位設定手段１８に接続された使用機能切換手段１９によって、上記２次元位置設定手段１４の複数の使用機能をそれらに与えられた優先順位に従って切り換えることができる。
【００２３】
いま、各種モードの設定状態に対して、２次元位置設定手段１４の複数の使用機能について使用可能状態を図４に示す。この図４に示す表では、横の欄の前半部に例えば８種類の計測モードの設定内容を示し、その後半部には例えば８種類の使用機能の使用可能状態を〇印を付して示してある。また、縦の欄の番号は、上記８種類の計測モードの設定状態の組み合わせによるモード番号を示している。例えば、モード番号１２の欄に示すように、ＢモードとＭモードとドプラモード（Ｂ／Ｍ／Ｄ）が選択されると共に、カラードプラ（ＣＦＭ）モードが選択され、パンズームがＯＮで、コメント入力とフリーズと計測機能とがＯＦＦとすると、２次元位置設定手段１４の使用機能としては、〇印の付された「プローブマーク位置の設定」と、「サンプル点の設定」と、「カラー表示範囲の設定」と、「関心領域の設定」との四つの機能が割り当てられる。
【００２４】
このとき、上記各種計測モードの選択においてカラードプラ（ＣＦＭ）モードが最後に選択されたとすると、図２に示す基礎優先順位と最優先順位との組み合わせにおいて、上記最後に選択された計測モードにおける最優先順位の使用機能を強制的に順位１番とし、その他の計測モードについては図２に示す基礎優先順位に従って順次繰り下げて順位を指定することにより、上記四つの使用機能の優先順位は次のようになる。
１番…「カラー表示範囲の設定」（最優先順位）
２番…「プローブマーク位置の設定」（基礎優先順位１）
３番…「サンプル点の設定」（基礎優先順位４）
４番…「関心領域の設定」（基礎優先順位６）
【００２５】
上記のように優先順位が指定された２次元位置設定手段１４の使用機能の信号は、優先順位設定手段１８から使用機能表示手段２０へ出力され、その後文字情報表示手段６及び画像・文字情報重畳手段７を介して表示器１０へ送られ、その画面隅部に図５に示すように表示される。すなわち、優先順位１番の「カラー表示範囲の設定」を示すマークが中央付近に表示され、例えばその左隣りに優先順位２番の「プローブマーク位置の設定」を示すマークが表示され、上記優先順位１番のマークの右隣りに優先順位３番の「サンプル点の設定」を示すマークが表示され、さらに上記優先順位２番のマークの左隣りに優先順位４番の「関心領域の設定」を示すマークが表示される。このとき、上記優先順位１番のマークを白黒反転表示したり、色彩を変えて表示してもよい。このようにすると、優先順位１番の使用機能が何であるかを容易に判断することができる。この状態で、使用機能切換手段１９を操作して、例えば上記四つの使用機能の中から所望の機能を選択する。その後、その選択された使用機能において２次元位置設定手段１４を操作して表示器１０の画面上で所要の標示線（ビームラインやカーソルなど）を移動し設定する。
【００２６】
また、図５に示すように、優先順位１番の使用機能のマークの両隣りに２番順位及び３番順位の使用機能のマークが交互に配置して表示されているので、上記使用機能切換手段１９によって所望の使用機能を選択する場合に、優先順位１番から優先順位３番へ切り換える場合でも、右方向へ１操作で素早く切り換えることができる。さらに、優先順位１番から優先順位４番へ切り換える場合でも、左方向へ２操作で素早く切り換えることができる。
【００２７】
なお、前記使用機能表示手段２０の他の実施形態として、表示器１０の画面に表示する最優先権が与えられた使用機能の表示マークとその機能に対応する標示線とを特定の同一色彩を付して表示すると共に、最優先権が与えられていない使用機能とは別の色彩で表示するようにしてもよい。すなわち、最優先権（優先順位１番）が与えられた使用機能の表示マークとその機能に対応する標示線とを例えば黄色で表示し、最優先権が与えられていない使用機能の表示マークとその機能に対応する標示線とを例えば白色で表示するようにする。このようにすると、最優先権が与えられた使用機能が何であるかを、図５に示すようなマーク表示を見なくても色付きの標示線を見ることにより瞬時に理解することができる。
【００２８】
以上の説明は、医用画像診断装置として超音波診断装置を代表例として上げて述べたが、他の画像診断装置にも同様に適用できる。この場合、例えばＸ線撮影装置においては、情報キャリアはＸ線であり、情報キャリア発生部はＸ線管装置であり、情報キャリア検出部は蛍光増幅管及びテレビカメラである。また、Ｘ線ＣＴ装置においては、情報キャリアは同じくＸ線であり、情報キャリア発生部はＸ線管装置であり、情報キャリア検出部は多素子型Ｘ線検出器である。さらに、核医学イメージング装置においては、情報キャリアは放射性同位元素であり、情報キャリア検出部は多素子型ガンマ線検出器である。さらにまた、磁気共鳴イメージング装置においては、情報キャリアは電磁波であり、情報キャリア発生部は磁石及び照射コイルであり、情報キャリア検出部は検出コイルである。そして、図２に示す各種計測モードの内容や２次元位置設定手段１４の使用機能の内容は、上記各々の医用画像診断装置の種類に応じてそれぞれの計測方法及び機能に対応したものとされる。
【００２９】
【発明の効果】
本発明は以上のように構成されたので、請求項１に係る発明によれば、画像表示部に表示される標示線を画面上で移動し設定する２次元位置設定手段に与えられた複数の使用機能に対して予め基礎優先順位を設定しておくと共に、各種計測モードが選択されたときのそのモードにおける最優先順位の使用機能を設定しておき、上記２次元位置設定手段に与えられた複数の使用機能を使用機能切換手段で切り換えて、任意に各種計測モードを選択した際に最後に選択された計測モードにおける最優先順位の使用機能を強制的に順位１番とし、その他の計測モードについては上記の基礎優先順位に従って順次繰り下げて使用機能の優先順位を指定し、この指定された優先順位で使用機能を画像表示部に表示することができる。したがって、上記２次元位置設定手段の使用機能を一つの切換手段で容易に選択することができ、該２次元位置設定手段の操作性を向上することができる。また、上記２次元位置設定手段の使用機能の画像表示部への表示は、現在の計測モードにおいて選択しうる総ての使用機能を優先順位を付けて表示することができるので、所望の使用機能を容易迅速に選択して２次元位置設定手段を操作することができる。
また、請求項２に係る発明によれば、使用機能表示手段により、優先順位１番の使用機能のマークの両隣りに順次後順位の使用機能のマークを交互に配置して表示することができる。したがって、使用機能切換手段によって所望の使用機能を選択する場合に、前順位の使用機能から後順位の使用機能へ切り換えるのに、少ない操作手順で素早く切り換えることができる。
さらに、請求項３に係る発明によれば、使用機能表示手段により、画像表示部の画面に表示する最優先権が与えられた使用機能の表示マークとその機能に対応する標示線とを特定の同一色彩を付して表示すると共に、最優先権が与えられていない使用機能とは別の色彩で表示することができる。これにより、最優先権が与えられた使用機能が何であるかを、上記のように色分けして表示された標示線を見るだけで瞬時に理解することができる。
【図面の簡単な説明】
【図１】本発明による医用画像診断装置のうち代表例として超音波診断装置の実施形態を示すブロック図である。
【図２】２次元位置設定手段に与えられた複数の使用機能の基礎優先順位と各種計測モードにおける最優先順位との組み合わせを示す表である。
【図３】２次元位置設定手段の使用機能を表示するための文字やマークの内容を示す説明図である。
【図４】各種モードの設定状態に対して、２次元位置設定手段の複数の使用機能について使用可能状態の一覧を示す表である。
【図５】優先順位が指定された２次元位置設定手段の使用機能のマークの表示例を示す説明図である。
【図６】従来の医用画像診断装置のうち代表例として超音波診断装置を示すブロック図である。
【符号の説明】
１…探触子
２…超音波送受信回路
３…信号処理回路
４…Ａ／Ｄ変換器
５…スキャンコンバータ
６…文字情報表示手段
７…画像・文字情報重畳手段
８…メインコントローラ
９…Ｄ／Ａ変換器
１０…表示器
１１…操作制御部
１３…操作パネル
１４…２次元位置設定手段
１５…パネルインタフェース回路
１６…パネルコントローラ
１７…被検体
１８…優先順位設定手段
１９…使用機能切換手段
２０…使用機能表示手段
【図１】
0003691884.tif 000002
【図２】
0003691884.tif 000003
【図３】
0003691884.tif 000004
【図４】
0003691884.tif 000005
【図５】
0003691884.tif 000006
【図６】
0003691884.tif 000007